(57)【特許請求の範囲】
【請求項１】
被施療者の足先を挿入する凹状受け部を前後方向に略平行に具え、被施療者の脹ら脛を挿入する脚受け部を前記凹状受け部の後端から上向きに具え、凹状受け部と脚受け部の少なくとも一方にマッサージ手段を具えた足用マッサージ機において、
本体ケーシング上に凹状受け部及び脚受け部が形成され、本体ケーシングは底面に、凹状受け部の前部から脚受け部の背面側にかけて膨らみ湾曲面を有し、本体ケーシング、凹状受け部及び脚受け部は、該膨らみ湾曲面によって一体に前後方向に揺動可能であることを特徴とする足用マッサージ機。
【請求項２】
被施療者の足先を挿入する凹状受け部を前後方向に略平行に具え、被施療者の脹ら脛を挿入する脚受け部を前記凹状受け部の後端から上向きに具え、凹状受け部と脚受け部の少なくとも一方にマッサージ手段を具えた足用マッサージ機において、
本体ケーシング上に凹状受け部及び脚受け部が形成され、本体ケーシングは底面の後部から脚受け部の背面側にかけて膨らみ湾曲面を有し、本体ケーシング、凹状受け部及び脚受け部は、該膨らみ湾曲面によって一体的に前後方向に揺動可能であることを特徴とする足用マッサージ機。
【請求項３】
マッサージ機自体の重心位置及び、凹状受け部に足裏を載せて起立した被施療者を含む重心位置が、本体ケーシング底面の後側膨らみ湾曲面よりも前側に位置する、請求項２に記載の足用マッサージ機。
【請求項４】
本体ケーシングの底面には、後側膨らみ湾曲面に連続するフラット面が形成されており、フラット面を床面に接地させた状態において、マッサージ機自体の重心位置及び、凹状受け部に足裏を載せて起立した被施療者を含む重心位置が、前記フラット面の真上の範囲に位置する、請求項２又は３に記載の足用マッサージ機。
【請求項５】
本体ケーシング底面前側には、フラット面に連続して上向きに延びる膨らみ湾曲面が形成されている、請求項４に記載の足用マッサージ機。
【請求項６】
膨らみ湾曲面は、平坦壁が多角形状に連続して形成されている、請求項１乃至４の何れかに記載の足用マッサージ機。
【請求項７】
膨らみ湾曲面は、一点を曲率中心とする円弧面である、請求項１乃至５の何れかに記載の足用マッサージ機。
【請求項８】
膨らみ湾曲面に滑止め部材が設けられている、請求項１乃至７の何れかに記載の足用マッサージ機。
【請求項９】
滑止め部材は膨らみ湾曲面に沿う方向に密なるピッチで配列されたリブ列であり、リブ列の各リブは本体ケーシングを後方に滑らせるには小さな摩擦抵抗が作用し、前方に滑らせるには大きな摩擦抵抗が作用する方向に傾斜している、請求項８に記載の足用マッサージ機。
【請求項１０】
脚受け部の背面側にマッサージ機の後傾角度を規制するストッパーが設けられている、請求項１乃至９の何れかに記載の足用マッサージ機。
【請求項１１】
ストッパーは、マッサージ機を持つための取っ手を兼用している、請求項１０記載の足用マッサージ機。
【請求項１２】
本体ケーシングには、本体ケーシングの後方への傾動及び／又は前方への傾動を阻止する安全スタンドが、本体ケーシングから出没可能に設けられている、請求項１乃至１１の何れかに記載の足用マッサージ機。
【請求項１３】
脚受け部に、該脚受け部から独立した脹ら脛マッサージ手段が、取付け高さ位置調節可能に配備されている、請求項１乃至１２の何れかに記載の足用マッサージ機。
【発明の詳細な説明】
【技術分野】
【０００１】
本発明は、被施療者の足先及び脹ら脛をマッサージする足用マッサージ機において、被施療者の姿勢に応じて施療角度を変えることのできる足用マッサージ機に関する。
【背景技術】
【０００２】
被施療者の足先及び脹ら脛をマッサージする足用マッサージ機が知られている。
例えば、特許文献１に記載の足用マッサージ機は、被施療者の足先を挿入する足先用ユニットと、被施療者の脹ら脛を挿入する脹ら脛用ユニットを具える。足先用ユニット及び脹ら脛用ユニットには、夫々エアバッグ等、被施療者にマッサージを施すマッサージ手段が配備されている。
特許文献１の足用マッサージ機は、床面に載置される足先用ユニットに対して、脹ら脛用ユニットを前後に傾動可能に連結しており、足先を足先用ユニットに載せた状態で、脹ら脛を後方に倒すと、脹ら脛の角度に応じて脹ら脛用ユニットが後方に傾くようにしている。
上記構成とすることで、被施療者が仰向けに寝転んだ状態でも、マッサージを受けることができる。
【０００３】
【特許文献１】特開２００５−２４５８０３号公報
【発明の開示】
【発明が解決しようとする課題】
【０００４】
上記マッサージ機は、足先用ユニットは傾動する構成ではないため、脹ら脛用ユニットを後方に傾けたときに、脹ら脛と足先の角度が、自然なリラックスした状態から変化して、脹ら脛に対して足先が伸びた状態となり、脹ら脛や足先の筋、筋肉が突っ張ったり緊張して血流が悪くなることがあり、十分なマッサージ効果を得ることができなくなる可能性があった。
【０００５】
本発明の目的は、上記問題を解決するために、被施療者の足先と脹ら脛をマッサージする凹状受け部と脚受け部とを一体に揺動可能とした足用マッサージ機を提供することである。
【課題を解決するための手段】
【０００６】
本発明は、本体ケーシング(２)上に、被施療者の足裏を前後に向けて足先を挿入する凹状受け部(３)(３)を略平行に具え、被施療者の脹ら脛を挿入する脚受け部(４)(４)を前記凹状受け部の後端から上向きに具え、凹状受け部(３)(３)と脚受け部(４)(４)の少なくとも一方にマッサージ手段を具えた足用マッサージ機(１)において、
本体ケーシング(２)上に凹状受け部(３)及び脚受け部(４)が形成され、本体ケーシング(２)は、底面の後部から脚受け部の背面側にかけて膨らみ湾曲面(21)を有し、本体ケーシング(２)、凹状受け部(３)及び脚受け部(４)は、該膨らみ湾曲面(21)によって一体的に前後方向に揺動可能であることを特徴とする。
【発明の効果】
【０００７】
本体ケーシング(２)、凹状受け部(３)及び脚受け部(４)を、膨らみ湾曲面(21)によって一体に前後に揺動可能としたことにより、マッサージ機(１)の傾き角度が変化しても、凹状受け部(３)と脚受け部(４)とが成す角度は不変であるから、マッサージ機(１)を後傾したときに、脹ら脛に対して足先が伸びてしまうことがない。従って、マッサージ機を後傾したときに、脹ら脛や足先の筋、筋肉が突っ張ることはなく、筋、筋肉が弛緩し、リラックスした状態を維持できる。
従って、血管が圧迫されたり、血流が阻害されることはなく、マッサージ効果を高い状態で受けることができる。
【発明を実施するための最良の形態】
【０００８】
以下、本発明の足用マッサージ機について、図面に沿って説明する。
［実施例１］
図１、図２は、本発明の足用マッサージ機(１)の使用状態の説明図、図３はマッサージ機(１)を正面側から見た斜視図、図４は、背面側から見た斜視図である。図５は、マッサージ機(１)の平面図、図６は背面図である。
【０００９】
図に示すように、マッサージ機(１)は、本体ケーシング(２)上に、被施療者の両足の足先を独立して収容する２つの凹状受け部(３)(３)と、脹ら脛を収容する２つの脚受け部(４)(４)が前記凹状受け部(３)(３)の後部側に連続して上向き形成されている。
図１に示す如く、椅子に座った被施療者の足先を凹状受け部(３)に、脹ら脛を脚受け部(４)に収容した状態で足先の向く方向を、以下「前」とする。
【００１０】
本体ケーシング(２)は後部から上向きに背壁(17)、左右に側壁(10)(10)、該側壁(10)(10)間に仕切壁(12)を有しており、両側壁(10)(10)、仕切壁(12)及び背壁(17)との間に前方及び上方が開口した２つの凹状受け部(３)(３)、２つの脚受け部(４)(４)が形成されている
凹状受け部(３)の底部(31)の前後方向の長さは３０〜３５cm程度、幅長さは１３〜１５cm程度で、大人の足裏長さ、足裏幅長さに対して十分余裕がある。
脚受け部(４)の高さは３０〜４０cm程度である。
【００１１】
凹状受け部(３)(３)の底部(31)内には、前後方向に移動して被施療者の足裏をマッサージする足裏マッサージ手段(11)が配備されている(図７参照)。
背壁(17)上又は背壁内には、脹ら脛を後側から押圧してマッサージする脹ら脛マッサージ手段(13)が配備されている。
両側壁(10)(10)及び仕切り壁(12)には、エアー圧で膨らんで、足の甲や脛を側面から押圧して足の固定とマッサージ手段を兼用する足固定手段(15)(16)が配備されている。
マッサージ手段(11)(13)及び固定手段(15)(16)は、通常布カバーで覆われているので、図１乃至図６等では図示していない。
【００１２】
上記足裏マッサージ手段(11)、脹ら脛マッサージ手段(13)及びマッサージ兼用の足固定手段(15)(16)の構成は公知であるので、詳細説明は省略するが、マッサージや足の固定の役割を果たせぱ、それらの構成は限定されるものではない。
尚、本願発明においては、足裏マッサージ手段(11)、脹ら脛マッサージ手段(13)、マッサージ兼用の固定手段(15)(16)の少なくとも何れか一つを具えていればよい。
【００１３】
本体ケーシング(２)は、底側前端から背壁(17)の上部にかけて延びる脚部(20)(20)を平行に突設している。
各脚部(20)は凹状受け部(３)の真下と脚受け部(４)の真後ろを通って延びている。
脚部(20)(20)の接地面である底部は湾曲して膨らんだ膨らみ湾曲面(21)に形成され、本体ケーシング(２)は該膨らみ湾曲面(21)によって前後方向に揺動可能である。
膨らみ湾曲面(21)は、前記凹状受け部(３)の前部と対応する本体ケーシング(２)底部の前部にて上向きに湾曲した前側膨らみ湾曲面(21b)と、本体ケーシング(２)底部の後寄りから背壁(17)の上部へ延びる後側膨らみ湾曲面(21a)を有し、両膨らみ湾曲面(21a)(21b)はフラット面(22)を介して連続している。
【００１４】
図７に示す如く、フラット面(22)の前後の長さは１０〜１２cm程度あり、凹状受け部(３)の底部(31)の前後方向長さの約１／３である。
フラット面(22)の前後方向の中心位置は、凹状受け部(３)の前後方向の中心位置よりも少し後位置にある。
フラット面(22)が床面に着地した状態にて、凹状受け部(３)の底部(31)は後側が少し低く傾斜し、脚受け部(４)も少し後傾気味となる。このときのマッサージ機(１)の姿勢は、図１に示す如く、被施療者が椅子に坐ってマッサージ機(１)を使用する際に、施療者の足先が自然状態で凹状受け部(３)の底部(31)に接し、脹ら脛は自然な状態で脚受け部(４)に収容できる。
マッサージ機(１)の重心位置Ｐは、フラット面(22)が床面に着地した状態にて、フラット面(22)の前後方向の中心に対する垂直線の近傍にある。
このため、マッサージ機(１)自体は、傾き姿勢から自重でフラット面(22)が床面に着地する様に復帰する。
被施療者が足裏を凹状受け部(３)の後端に寄せて凹状受け部(３)上に起立状態で載った状態で、被施療者を含むマッサージ機(１)の重心Ｐも、フラット面(22)の真上位置内となる。言い換えると重心位置Ｐは、後側膨らみ湾曲面(21a)より前位置にあり、前側膨らみ湾曲面(21b)よりも後位置にある。
【００１５】
実施例では前記した後側膨らみ湾曲面(21a)及び前側膨らみ湾曲面(21b)は共に円弧面であり、後側膨らみ湾曲面(21a)の曲率半径長さは、前側膨らみ湾曲面(21b)の曲率半径長さの２倍程度である。
後側膨らみ湾曲面(21a)は、図７に示す如く、被施療者が脹ら脛を背壁(17)に付けて凹状受け部(３)に足裏を載せた状態で、足の甲近傍に半径中心Ｒ1が位置する。又、後側膨らみ湾曲面(21a)の半径中心Ｒ1は、フラット面(22)を床面に接地した状態で、フラット面(22)の後端の真上に位置する。
本体ケーシング(２)の前側膨らみ湾曲面(21b)の半径中心Ｒ2は、凹状受け部(３)の底部(31)より下位地にあり、フラット面(22)を床面に接地した状態で、フラット面(22)の前端の真上位置にある。
【００１６】
図９、図１０に示す如く、脚部(20)(20)の接地面には略全長に亘って、帯状の滑止め部材(５)が装着されている。
実施例の滑止め部(５)はゴム又は摩擦係数の大きな合成樹脂で形成されており、脚部の長手方向に直交する方向に延びるリブ(52)を長手方向に密なるピッチで突設したリブ列(51)を具えている。リブ列(51)の各リブ(52)は、図１０の円内拡大部分に示す様に、マッサージ機(１)を前方に滑らす方向には大きな摩擦抵抗が作用し、後方に滑らすには小さな摩擦抵抗が作用する方向に傾いている。
【００１７】
然して、マッサージ機(１)は本体ケーシング(２)の後側膨らみ湾曲面(21a)によって、前後に揺動である。従って、被施療者が椅子に腰掛けて、足先を凹状受け部(３)に挿入し、脹ら脛を脚受け部(４)に挿入した状態(図１)と、仰向けに寝転ろんだ場合(図２)とでは、脹ら脛の角度が変わり、それに応じてマッサージ機(１)が前後に揺動する。
後側膨らみ湾曲面(21a)は、足の甲の近傍の一点を中心とする円弧面であるから前後への揺動は極めて滑らかであり、足の上下方向の移動量が小さくて済むので、マッサージ機(１)は被施療者の施療姿勢に速やかに反応して最適に傾き、被施療者は楽な姿勢でマッサージを受けることができる。
【００１８】
本体ケーシング(２)上の凹状受け部(３)と脚受け部(４)の成す角度が一定のまま、マッサージ機(１)は揺動するから、マッサージ機(１)を後傾したときに、脹ら脛に対して足先が伸びてしまうことがない。このため、マッサージ機を後傾したときに、脹ら脛や足先の筋、筋肉が突っ張ることはなく、筋、筋肉が弛緩し、リラックスした状態を維持できる。
従って、血管が圧迫されたり、血流が阻害されることはなく、マッサージ効果を高い状態で受けることができる。
【００１９】
実施例の様に、被施療者が椅子に座った状態で、マッサージ機(１)によってマッサージを受ける際に、マッサージ機(１)の姿勢を底面のフラット面(22)で安定させることにより、マッサージ機(１)が不用意に前後に揺動することを防止でき、被施療者は安定したマッサージを受けることがてきる。
又、マッサージ機(１)自体の重心位置及び、凹状受け部(３)上に起立した被施療者を含む重心位置は、脚部(20)(20)のフラット面(22)の真上の範囲内に位置しているから、被施療者が凹状受け部(３)上で起立したときに、被施療者の立ち姿勢を安定させ、転倒を防止できる。
マッサージ機自体の重心及び、被施療者が足を凹状受け部(３)及び脚受け部(４)に入れたときの重心Ｐは、図７、図８に示す如く、後側膨らみ湾曲面(21a)の円弧中心Ｒ1よりつま先側に位置しており、脹ら脛マッサージ手段(13)が脹ら脛に接触する方向にマッサージ機が円弧中心Ｒ1を中心に回動しようとするので、脹ら脛マッサージ手段(13)によって脹ら脛を常に良好にマッサージすることができる。
【００２０】
実施例の様に、マッサージ機(１)の脚部(20)(20)の前端部にも膨らみ湾曲面(21b)を設けることにより、マッサージ機(１)が後傾姿勢から前傾させたとき、オーバーランしても、前側膨らみ湾曲面(21b)によって衝撃を受けることはない。
【００２１】
実施例の様に、マッサージ機(１)の後側膨らみ湾曲面(21a)に滑止め部材(５)を装着することにより、マッサージ機(１)の揺動が安定する。又、滑止め部(５)は、後方への移動には摩擦抵抗は小さいから、図２に示す如く、寝ころび姿勢でマッサージ機(１)を使用する際に、足裏が凹状受け部(３)の底面(31)に届かない場合、足先を引っ張る方向に力を入れると、マッサージ機(１)が比較的容易に後側に移動して足裏を凹状受け部(３)の底部(31)に当てることができ、効果的に足裏マッサージを受けることができる。
滑止め部(５)は前方への移動に対しては大きな摩擦抵抗が作用するから、マッサージ中に、滑止め部(５)が前方へ移動し、被施療者の脚が伸びきって適切なマッサージを受けることが出来ない事態を回避できる。
【００２２】
［実施例２］
図１１に示す如く、上記マッサージ機(１)において、脚受け部(４)の背面側に、マッサージ機(１)の後傾角度を規制するストッパ(６)が設けられている。
ストッパ(６)は前記脚部(20)(20)間を繋いで設けた丸軸(61)に筒状の弾性カバー(62)を被せて形成されている。
図２に示す如く、脚受け部(４)が床面に対して略垂直状態から４５°程度後傾するとストッパ(６)が床面に当たって、それ以上の後傾は阻止される。
ストッパ(６)は、マッサージ機(１)を持ち上げる際の取っ手を兼用している。
【００２３】
ストッパ(６)によって、マッサージ機(１)が後傾し過ぎて、脹ら脛と脹ら脛マッサージ手段(13)との間に隙間が生じて、脹ら脛にマッサージを受けることが出来ない事態を回避できる。
ストッパ(６)は、弾性筒体(62)でカバーされているから、ストッパ(６)が床面に衝突したときの衝撃が緩和され、足に不快感を感じない。
又、ストッパ(６)を握ってマッサージ機(１)を持ち上げる際に、滑り難い。
【００２４】
［実施例３］
図１３及び図６は、上記マッサージ機(１)において、マッサージ機(１)の後傾を阻止する安全スタンド(７)を配備した例を示している。
安全スタンド(７)は、脚部(20)(20)間に架設された支軸(71)を中心に回動して脚部(20)(20)間から外側に出没可能であり、マッサージ機(１)を使用する際には、図１４に示す如く、畳んで脚部(20)(20)間に収容することで、マッサージ機(１)の揺動を妨げることはない。
図１３の矢印に示す如く、安全スタンド(７)を引き出すと、脚部(20)(20)のフラット面(22)が床面に接地した状態からの後傾が阻止される。
不用意にマッサージ機(１)の凹状受け部(３)に乗った際に、マッサージ機(１)の後傾による転倒を防止できる。
マッサージ機(１)の底部前側にも、脚受け部(４)の前傾を防止する安全スタンド(図示せず)を配備することができる。
安全スタンドは、必要に応じて、マッサージ機(１)の前側或いは後側の何れか一方だけでもよい。
【００２５】
［実施例４］
図１５、図１６は、脹ら脛マッサージ手段(13)とマッサージ手段兼用の足固定手段(16)をユニット(19)としてマッサージ機(１)から独立させて、該ユニット(19)を脚受け部(４)上に高さ位置調節可能に配備した例を示している。
被施療者の脹ら脛の高さ位置の相違、脹ら脛の患部の高さ位置の相違に対応して、ユニット(19)の高さ位置を変更して、最適の脹ら脛マッサージを受けることができる。
【００２６】
図１７は、上記実施例４のユニット(19)を最下位置にセットした状態のマッサージ機(１)の重心位置を示している。このときの重心は脚部(20)(20)のフラット面(22)の真上に位置してる。
図１８は、上記実施例４のユニット(19)を最上位置にセットした状態を示している。このときの重心は、後側膨らみ湾曲面(21a)の半径中心Ｒ1より内側に位置している。
図１８の状態の場合、マッサージ機(１)は無負荷状態では自然に後傾して、マッサージ機(１)の使用上での全高さを低く抑えることができる。
そのため、ユニット(19)を高くしても、凹状受け部(３)や脚受け部(４)に足先や脹ら脛を収容する際に、足を必要以上に高く上げることはない。
尚、図１５乃至１８では、ユニット(19)に脹ら脛マッサージ手段(13)と足固定手段(16)を具えているが、何れか一つ具えておればよく、ユニット(19)を脹ら脛マッサージ手段ということもできる。
【００２７】
［実施例５］
図１９は、マッサージ機(１)の脚部(20)(20)の後側膨らみ湾曲面(21a)を、平坦壁(23)が円弧に沿って連続する形状としている。
この場合、図２の寝ころび姿勢でマッサージ機(１)を使用する際、被施療者の脚の姿勢に対応して後側膨らみ湾曲面(21a)の何れか１つの平坦壁(23)が床面に接地し、マッサージ機(１)の姿勢が安定した状態でマッサージを受けることができ、マッサージ効果を高めることができる。
又、実施例１乃至４の何れの場合も、膨らみ湾曲面(21)は、床面に対して線当たりとなり、床面に対して力の掛かりが大きいので、床面を傷つける虞れがある。又、マッサージ機(１)を前後移動させる抵抗も大きくなる。
これに対して、実施例５では、床面に対して平坦壁(23)が面当たりとなるから、上記した、後側膨らみ湾曲面(21a)が床面に対して線当たりとなる問題は解消される。
【００２８】
上記実施例の説明は、本発明を説明するためのものであって、特許請求の範囲に記載の発明を限定し、或は範囲を減縮する様に解すべきではない。又、本発明の各部構成は上記実施例に限らず、特許請求の範囲に記載の技術的範囲内で種々の変形が可能であることは勿論である。
【００２９】
例えば、マッサージ機(１)の脚部(20)(20)の膨らみ湾曲面(21)は、円弧に限らず、マッサージ機(１)が前後に滑らかに揺動できる曲面であればよい。図１９の実施例においても、該曲面に沿って平坦壁(23)を多角形状に連続させればよい。
【００３０】
又、膨らみ湾曲面(21)を脚部(20)(20)の前端側から背面側に掛けて全体に湾曲して膨らんだ形状に形成し、フラット面(22)を無くしても、マッサージ機(１)の前後方向の揺動機能が損なわれることはない。
【００３１】
又、実施例の様に、本体ケーシング(２)の底部に突設した脚部(20)(20)に膨らみ湾曲面(21)を形成するのではなく、本体ケーシング(２)の底部全体に、フラット面(22)付きの膨らみ湾曲面(21)、或いはフラット面(22)を無くした膨らみ湾曲面(21)を形成出来るのは勿論である。
【図面の簡単な説明】
【００３２】
【図１】椅子に坐ってマッサージ機を使用する状態の説明図である。
【図２】仰向けに寝ころんでマッサージ機を使用する状態の説明図である。
【図３】マッサージ機を正面側から見た斜視図である。
【図４】マッサージ機を背面側から見た斜視図である。
【図５】マッサージ機の平面図である。
【図６】マッサージ機の背面図である。
【図７】足裏マッサージ手段、脹ら脛マッサージ手段及び足固定手段と、足の位置関係の説明図である。
【図８】図７の状態からマッサージ機を後傾した状態の説明図である。
【図９】滑止め部の説明図である。
【図１０】滑止め部の利き方の説明図及び滑り止め部の部分拡大図(円内拡大図)である。
【図１１】側面から見たストッパの説明図である。
【図１２】平面から見たストッパの説明図である。
【図１３】スタンドを引き出した状態の説明図である。
【図１４】スタンドを畳んだ状態の説明図である。
【図１５】取付け高さ位置調節可能な脹ら脛マッサージ手段を高位置にセットした状態の説明図である。
【図１６】同上の脹ら脛マッサージ手段を低位置にセットした状態の説明図である。
【図１７】図１６におけるマッサージ機の重心位置を示す図である。
【図１８】図１５における重心位置を示す図である。
【図１９】脚部の平坦壁を円弧に沿って連続させて膨らみ湾曲面を形成した他の実施例の説明図である。
【符号の説明】
【００３３】
(１)  マッサージ機
(11)  足裏マッサージ手段
(13)  脹ら脛マッサージ手段
(２)  本体ケーシング
(20)  脚部
(21)  膨らみ湾曲面
(22)  フラット面
(３)  凹状受け部
(４)  脚受け部
【図１】
0004646851.tif 000002
【図２】
0004646851.tif 000003
【図３】
0004646851.tif 000004
【図４】
0004646851.tif 000005
【図５】
0004646851.tif 000006
【図６】
0004646851.tif 000007
【図７】
0004646851.tif 000008
【図８】
0004646851.tif 000009
【図９】
0004646851.tif 000010
【図１０】
0004646851.tif 000011
【図１１】
0004646851.tif 000012
【図１２】
0004646851.tif 000013
【図１３】
0004646851.tif 000014
【図１４】
0004646851.tif 000015
【図１５】
0004646851.tif 000016
【図１６】
0004646851.tif 000017
【図１７】
0004646851.tif 000018
【図１８】
0004646851.tif 000019
【図１９】
0004646851.tif 000020